(57)【要約】複数の側面（１５，１６，１７；３４，３５，３６，３７）を有し及びコンテナ（３；２９；４０）、蓋（５；３０；４１）、及び梱包（１）内部に差し込まれ、前記側面の少なくとも一つ（１５，１６，１７；３４，３５，３６，３７）と接触して配置された小片（２４）を備えた実質的に角柱幾何型の煙草製品用の硬質梱包において、前記側面の少なくとも一つ（１５，１６，１７；３４，３５，３６，３７）が消費者向けの広告、告知及び記載事項が記された前記差し込まれた小片（２４）の事前設定個所（２７）に該当するように配された窓（２５）を示すことを特徴とする梱包。前記梱包（１）が前記コンテナ（２９，３）の内部に位置する補強枠（２０）を有する場合は、前記窓（２５）は前記枠（２０）により占められる前記コンテナの面（７）及び前記枠そのものにより前記コンテナの前記窓（２５）と実質的に位置する対応する窓（２６）を有する。
2004510646.tif 000002
【特許請求の範囲】
【請求項１】
複数の側面（１５，１６，１７；３４，３５，３６，３７）を有し及びコンテナ（３；２９；４０）、蓋（５；３０；４１）、及び梱包（１）内部に差し込まれ、前記側面の少なくとも一つ（１５，１６，１７；３４，３５，３６，３７）と接触して配置された小片（２４）を備えた実質的に角柱幾何型の煙草製品用の硬質梱包において、前記側面の少なくとも一つ（１５，１６，１７；３４，３５，３６，３７）が消費者向けの広告、告知及び記載事項が記された前記差し込まれた小片（２４）の事前設定個所（２７）に該当するように配された窓（２５）を示すことを特徴とする梱包。
【請求項２】
煙草の複数の小包（２）を包含するために用いられる請求項１に記載された梱包において、顕著な縦軸（３３）に対して実質的に平坦な並行筒状幾何型であって、二つの互いに並行するより大きい側面（３４，３５）、前記より大きい側面（３４，３５）に直角に交わる二つの互いに並行するより小さい側面（３６、３７）、及び二つの横断する端面（３８，３９）を示す少なくとも一つの外側包装紙（３２）を備えることにおいて、前記窓（２５）は前記側面（３４，３５，３６，３７）の少なくとも一つに形成されることを特徴とする梱包。
【請求項３】
煙草の複数の小包（２）を包含するために用いられる請求項１に記載された梱包であって、前記コンテナ（２９）にヒンジ留めされ及びそのために開いたポジションと閉じたポジションの間で転回可能なカップ状実施態様同様の蓋（３０）により蓋われたカップ状実施態様のコンテナ（２９）、及び内部に配置され及び前記コンテナ（２９）に部分的に包容される補強枠（２０）、及び硬質包装紙（１８）及び前記梱包（２）間に差し込まれた小片（２４）を備える硬質外側包装紙（１８）を示すことにおいて、前記窓（２５）は前記枠（２０）により占められた前記コンテナ（２９）の一面（７）に形成されていることを特徴とする梱包。
【請求項４】
それぞれが内部にある包装紙（１９）により封装された一群の煙草を含むために用いられる請求項１に記載された梱包であって、前記コンテナ（３）にヒンジ留めされ及びそのために開いたポジションと閉じたポジションの間で転回可能なカップ状実施態様同様の蓋（５）により蓋われたカップ状実施態様のコンテナ（３）、及び内部に配置され及び前記コンテナ（３）に部分的に包容される補強枠（２０）、及び前記コンテナ（３）及び前記内部包装紙（１９）間に差し込まれた小片（２４）を備える硬質外側包装紙（１８）を示すことにおいて、前記窓（２５）は前記枠（２０）により占められた前記コンテナ（３）の一面（７）に形成されていることを特徴とする梱包。
【請求項５】
前記枠（２０）は前記コンテナ（２９，３）の前記面（７）に形成された前記窓（２５）と実質的に位置する対応する窓（２６）を示すことを特徴とする請求項３又は４のいずれかに記載された梱包。
【請求項６】
前記窓（２５）は前記枠（２０）により占められない前記面（７）の部分に位置することを特徴とする請求項３又は４に記載された梱包。
【請求項７】
前記窓（２５）は前記枠（２０）により部分的に占められた前記面（７）の部分に位置することを特徴とする請求項３又は４に記載された梱包。
【発明の詳細な説明】
【０００１】
［技術分野］
本発明は煙草製品の硬質梱包に関する。
【０００２】
［背景技術］
下記の説明において、「梱包」という用語は、煙草の複数の小包を含む紙箱、及び一群の煙草又は煙草製品一般を含む単独の梱包を意味する。
【０００３】
当該タイプの硬質梱包は、一般に、それぞれ平面の予め折り目を付けられた型打ち白紙から形作られ、コンテナ及び、特定の梱包の場合は、蓋を備える単独の梱包は自己同型コンテナの開口部端を囲むようにコンテナの後端にヒンジ留めされ、また補強枠は部分的にコンテナの内部に配置され及びそれゆえ前面及び自己同型コンテナの二つの側面に対して内部で保護されている。
【０００４】
実務ではしだいにこれらの梱包の外側表面に、消費者向けに、広告、告知及び他の記載事項が印刷されるようになっているが、それらは明瞭に配置され、製品が販売されている様々な国の言語で表現され、及び、さらに、異なる国の国法による要求に合致するようにケース・バイ・ケース・ベースでカスタマイズされなければならない。
【０００５】
ある国々では、梱包の外側表面に製品価格を印刷するのが通常で、しかもそれらの国々では、かなりのインフレ要因により価格変更が頻繁で、市場条件に対応して梱包上に印刷される記載事項もしばしば変えて対応しなければならない。
【０００６】
これらのこと全ては、梱包を形作る型打ち白紙は国毎、あるいは各個別国のために変えなくてはならず、結果としての高い在庫及び製造コストを意味する。
【０００７】
また当該タイプの梱包の内部に差込物、すなわちカード、小片のような消費者向け記載及び写真画像を有したものと共に製造することも実務になってきた。
【０００８】
本発明の目的は、全ての国のために単独の標準白紙を使い、及び背景に消費者向けの広告、告知及び記載事項を印刷した差込物を利用することで、異なる白紙の使用を回避することである。
【０００９】
［発明の開示］
本発明に従った既述の目的の実施態様は、複数の側面を有し及びコンテナ、蓋、及び梱包内部に差し込まれ、前記側面の少なくとも一つと接触して配置された小片を備えた実質的に角柱幾何型の煙草製品用の硬質梱包において、前記側面の少なくとも一つが消費者向けの広告、告知及び記載事項が記された前記差し込まれた小片の事前設定個所に該当するように配された窓を示すことを特徴とする梱包である。
【００１０】
以下添付図面を参照して、例示により詳細を説明する。
【００１１】
図面の図１，２及び３を参照すると、１は煙草製品の梱包の全体を表し、特にここでは、開口頭部端４を許容するカップ状実施態様のコンテナ３を具備する（図示されていない）一群の煙草を包含する硬質梱包２であって、相対するヒンジ線に沿ってコンテナ３にヒンジ付けされ及び（図示されていない）開口位置及び頭部端４が閉じられているときの位置の間で回転可能な同様のカップ状実施態様の蓋５が被さったものを表す。
【００１２】
コンテナ３は、前面７、裏面８、二つの側面９及び底端面１０を表し；同様に、蓋５は、前面１１、裏面１２、二つの側面１３及び頭部端面１４を表す。
【００１３】
前述のコンテナ３及び蓋５の前面、裏面及び側面は、合わせて、組み合わせた梱包１のそれぞれの横面を構成し、その前面は１５と付番され、裏面は１６番及び側面は１７番、これらとコンテナ３の底端面及び蓋５の頭部端面とを順に組み合わせて、小包２の外側包装１８を成す。
【００１４】
各小包２は、前述の一群の煙草の内部包装１９を包み、外側包装１８と内側包装１９の間に補強枠２０を配して、よってコンテナ３を保持する。枠２０は、コンテナ３の内部に位置する部分２０ａ及びコンテナの外側に開口頭部端４から出ている部分２０ｂを具備する。
【００１５】
さらに詳しくは、枠２０は、コンテナ３の前面７の内部と部分的に接触している胸部片２１、コンテナ３の側面９の内部に部分的に保持されている二つの胸部片２２を含む。
【００１６】
枠２０の胸部片２１は、蓋５に向かって凹状に配置されている「Ｕ」型の端２３により上部を仕切られている。
【００１７】
最後に、各小包２は、枠２０及び内部包装１９間に差し込まれている小片２４を有している。図１及び２の例では、小片２４は枠の胸部片２１の下に位置し、部分的にコンテナ３の前面７の内部と接触していて、その頭部端は枠２０の頭部端２３を越えて延びている。
【００１８】
代替的に、図３の例のように、小片２４は枠２０とコンテナ３の前面７の内部の間に差し込むこともできる。
【００１９】
図１の例では、小包２は、コンテナ３の前面７に配された窓２５を表し、同様に前面７の窓２５と実質的に合致する窓２６を表する枠２０の胸部片２１と一致して配置される。このやり方では、消費者向けに表象された記載及び絵・写真を示す小片２４の領域２７を晒すことが可能になり、小包２の外側包装１８上に直接これらのことを印刷する必要を回避することができる。
【００２０】
図２の例では、窓２５は、枠２０に占められていないコンテナ３の前面の領域に配置されていて、従って相対的な窓２０を表することはない。同様に、この場合は、窓２５は消費者向けの記載物及び絵・写真を有した小片２４の領域２７を晒すことはない。
【００２１】
図３の例では、窓２５は枠２０の胸部片２１に合致するコンテナ３の前面の領域に配置されているが、小片２４は胸部片２１の前に配置されているために、枠は相対する窓２６を表することはない。
【００２２】
図に表していないさらなる実施態様では、窓２５を枠２０に一部分占められているコンテナ３の前面の領域に配置することができる。この場合は、全体窓２６ではなく、枠２０は小片２４の前述領域２７を晒すのに十分な次元の切り取り部分を表する。
【００２３】
図４及び５の例では、梱包１は煙草の複数の小包２を含む硬質カートン２８を構成する。カートン２８の幾何形は、図１、２及び３に示した小包のカートンと全ての面で似ていて、従って、コンポーネント部分は、可能な限り、小包２の対応する部分の付番と同じ参照番号を使う。
【００２４】
単独カートン２８は、蓋３０に覆われたコンテナ２９、相対するヒンジ線６に沿ったコンテナにヒンジ付され及び（図示されていない）開口位置とコンテナ２９の開口頭部端４が閉じられたときの位置との間で回転可能で、またコンテナ２９に保持された補強枠２０は、コンテナ２９の内部に位置する部分２０ａ及びコンテナ２９で開口頭部端４から外部に出た部分２０ｂを具備する。
【００２５】
図１，２及び３に示した小包２に関して既に説明したことを想起すると、コンテナ２９の前面、裏面及び側面と蓋３０はカートン２８の場合と同様に組み合わされて、組合せ梱包１のそれぞれの面を構成し、その前面は１５、裏面は１６及び側面は１７と付番され、これらは順にコンテナ２９の底端面１０及びカートン２８の外側梱包１８を成す蓋３０の頭部端面１４と組み合わされる。
【００２６】
従って、小包２と同様のやり方で、図４に表されたカートン２８はコンテナ２９の前面７により作られた窓２５は、小片２４の事前に決められた領域を晒すための同じやり方で、前面７の窓２５に実質的に合致するように窓２６を同様に作る枠２０の胸部片２１と一致するように配置される。
【００２７】
図５の例では、窓２５は、枠２０に占められないコンテナ２９の前面７に配置され、従って、相対する窓２６を表しない。この場合は同様、窓２５は消費者向け記載物及び絵・写真を有する小片２４の領域２７を晒すのに使われる。
【００２８】
図示していないさらなる実施態様では、カートン２８は、図３に示した小包２のように配置された小片２４と共に組立てられる。
【００２９】
図６の例では、梱包１は、実質的に平面並行管状型の外側梱包３２であって３３と付番されている事前に決められる縦軸になるものを表す。
【００３０】
カートン３１は、二つの互いに並行のより大きい横面３４及び３５、より大きい横面３４及び３５に垂直に配置されている二つの互いに並行なより小さい側面３６及び３７、及び二つの横断端面３８及び３９を表す。
【００３１】
図６で明らかなように、より小さい横面３６及び３７、端面３８及び３９及び３５と付番されているより大きい横面は組み合わされて、コンテナ４０になり、一方、残余の横面３４は蓋４１として機能する。
【００３２】
本発明に従えば、カートン３１は、蓋４１として機能する上方に向けられたより大きい横面と、カートン３１の内部にある小包２の間に差し込まれた小片２４を有し、及び消費者向けの記載物及び絵・写真を有する小片２４の領域２７を晒すために、同じより大きい横面３４に配置された窓２５を有する。
【００３３】
図示されていないさらなる実施態様では、窓２５は、前面のより小さい横面３６に配置することもできる。この場合は、したがって小片２４は、前面３６と少なくとも一部分が合致するように配置される。
【図面の簡単な説明】
【図１】
本発明に従った三つの実施態様の中の一つの煙草小包のスキーム図及び全体図である。
【図２】
本発明に従った三つの実施態様の中の一つの煙草小包のスキーム図及び全体図である。
【図３】
本発明に従った三つの実施態様の中の一つの煙草小包のスキーム図及び全体図である。
【図４】
本発明に従った相対的梱包の第１の実施態様の煙草小包用の二つのカートンの内の一つのスキーム図及び全体図を表す。
【図５】
本発明に従った相対的梱包の第１の実施態様の煙草小包用の二つのカートンの内の一つのスキーム図及び全体図を表す。
【図６】
本発明に従った相対的梱包の第２の実施態様の煙草小包用のカートンのスキーム図及び全体図を表す。
【国際公開パンフレット】
2004510646.tif 000003
2004510646.tif 000004
2004510646.tif 000005
2004510646.tif 000006
2004510646.tif 000007
2004510646.tif 000008
2004510646.tif 000009
2004510646.tif 000010
2004510646.tif 000011
2004510646.tif 000012
2004510646.tif 000013
2004510646.tif 000014
2004510646.tif 000015
2004510646.tif 000016
2004510646.tif 000017
2004510646.tif 000018
2004510646.tif 000019
2004510646.tif 000020
【国際調査報告】
2004510646.tif 000021
2004510646.tif 000022
2004510646.tif 000023